Podtech/llm-jp-corpus-v4-ja_patent huggingface dataset:
(57)【要約】【課題】本発明は、小物を指にくっつけて、能率よく取り上げるために、指に装着する指用吸着具を提供する。【解決手段】アクリル発泡スポンジを指に装着し、その表面で小物に触れることにより、小物を指で摘むことなく、くっつけて取り上げることができる。【選択図】      図４
2004204200.tif 000002
【特許請求の範囲】
【請求項１】
アクリル発泡スポンジを指に装着することによって、指に小物をくっつけて取り上げることができることを特徴とする指用吸着具。
【発明の詳細な説明】
【０００１】
【発明の属する技術分野】
本発明は、小物を指にくっつけて取り上げることができるよう、指に装着する指用吸着具に関する。
【０００２】
【従来の技術】
従来は、指先に小物をくっつけて取り上げる方法として、指先に両面粘着テープを貼り付けて利用することが知られている。
【０００３】
【発明が解決しようとする課題】
指先に両面粘着テープを貼り付けることで、小物をくっつけて取り上げるという方法は、粘着テープの粘着力が強すぎるため、くっつけた後、取り外しし難いという問題点があった。
【０００４】
また、何度か作業を繰り返すうちに、粘着面が汚れて、粘着力がなくなってしまい、その後粘着力は回復しないという問題点があった
【０００５】
また、両面粘着テープの粘着力を弱めて、くっついた小物を取り外しし易くすることができるが、その場合も粘着面がすぐに汚れて、粘着力がなくなってしまい、その後粘着力は回復しないという問題点があった。
【０００６】
また、指で直接小物を摘もうとすると、小物は小さかったり薄かったりするため、うまく取り上げることができなかった。
本発明は、以上のような欠点を除くためになされたものである。
【０００７】
【課題を解決するための手段】
上記の課題を解決するために、本発明の指用吸着具は、アクリル発泡スポンジが持つ吸着力を利用する。アクリル発泡スポンジは適度な吸着力で、接した対象物にくっつく。このアクリル発泡スポンジを指に装着し、その表面で小物に触れることにより、小物を指で摘まむことなく、くっつけて取り上げることができる。そして、アクリル発泡スポンジは適度な吸着力を持つため、くっつけて取り上げた小物は、容易に取り外すことができる。
【０００８】
また、アクリル発泡スポンジの吸着力は、表面が汚れて吸着力が無くなった後も、布等で拭いてやることで回復し、繰り返し使用することができる。
【０００９】
【発明の実施の形態】
発明の実施の形態を、図面を参照して説明する。
図１は本発明の指用吸着具の一実施例であり、１のアクリル発泡スポンジを指に貼り付けて使用する。
【００１０】
図２の一実施例は、アクリル発泡スポンジに２の粘着剤を塗布した状態を示しており、この粘着剤によって指に貼り付け装着する。図３は指に貼り付けた一実施例である。
【００１１】
図４に示される一実施例は、指先に貼り付けた１のアクリル発泡スポンジの表面を小物に触れさせ、その小物をくっつけて取り上げているところを示す。取り上げる対象物の小物には、軽く触れるだけでくっつけることができ、取り外しも容易にできる。
【００１２】
アクリル発泡スポンジは、そのスポンジ自体が接する相手に吸着する性能を有する。このアクリル発泡スポンジが、接する相手に吸着するしくみは、スポンジの表面部分の気泡が吸盤の役割を果たし、接する相手に吸い付くためである。
【００１３】
この吸盤の役割を果たす気泡は、直径０．１ｍｍ程度若しくはそれ以下の非常に微細なもので、スポンジ表面全面に付いているため、小さな対象物でも、軽く触れるだけでくっつけることができる。そして、適度な強さで吸盤のようにくっつくので、粘着剤のように粘ることなく、簡単に取り外すことができる。このアクリル発泡スポンジは周知の技術で製品化されている。
【００１４】
また、アクリル発泡スポンジが対象物にくっつく原理は、粘着剤によるものでなく、表面の気泡が吸盤のように吸い付くことであるため、表面が汚れて吸着力が無くなっても、布等で拭くことによって回復することができる。
【００１５】
ここに記載している小物とは、例えば、宝石、小ねじ、針、ビーズ、切手、紙のシート、フィルムのシート、本や伝票のページ、その他、指先でつまみ上げる作業の対象となる物全般を指す。
【００１６】
また、このアクリル発泡スポンジは、自己の有する吸着力により、滑り難い性質を持つため、紙やフィルムをめくるときの滑り止めの用途にも利用することができる。
【００１７】
図２に示す一実施例の２の粘着剤は、周知の技術で粘着シールや粘着テープなどに広く使われているものである。粘着剤の種類としては、アクリル系、ゴム系、シリコン系などがある
【００１８】
また、アクリル発泡スポンジを、粘着剤によって直接指に貼ることが、皮膚に刺激を与えるなどの理由で好ましくない場合は、指に装着するゴムサックや手袋などの上から貼ることもできる。
【００１９】
【発明の効果】
本発明は、以上説明したようなものであるから、以下に記載されるような効果を奏する。
【００２０】
小物をくっつけて取り上げるための材料に、アクリル発泡スポンジを使用しているため、アクリル発泡スポンジ自体の持つ適度な吸着力により、指先でつかみ難い小物を、触れるだけでうまくくっつけて取り上げることができ、くっついた小物の取り外しも容易にできる。本発明の、指用吸着具を使用することにより、小物を手で取り上げる際の作業能率を向上させることができる。
【００２１】
また、アクリル発泡スポンジの表面が汚れて吸着力が無くなっても、布等で拭くことによって吸着力を回復させることができる。
【００２２】
【図面の簡単な説明】
【図１】本発明の一実施例を示す平面図である。
【図２】図１の断面図である。
【図３】本発明の一実施例を使用している状態の一例を示す図である。
【図４】本発明の一実施例によって、小物を取り上げている状態の一例を示す図である。
【符号の説明】
１  アクリル発泡スポンジ
２  粘着剤
３  指
４  取り上げる対象物の小物
【図１】
2004204200.tif 000003
【図２】
2004204200.tif 000004
【図３】
2004204200.tif 000005
【図４】
2004204200.tif 000006
(57)【要約】【課題】ＲＴＰＯを用いたＰＰアロイの衝撃強度を改善する。【解決手段】添加するＳＥＢＳのブタジエンの濃度を６０％以上に増加させることにより、ＳＥＢＳをＲＴＰＯのＰＰとＥＰラバー間の相溶化材として機能させ、ＥＰラバーを微分散化させ、素材の衝撃強度を向上させる。【選択図】  図２
2004204198.tif 000002
【特許請求の範囲】
【請求項１】
エチレンプロピレンラバーが２０％以上入った反応共重合によるポリプロピレンコポリマーとブタジエン濃度が６０％以上のスチレンエチレンブタジエンスチレンブロックコポリマーまたはスチレンエチレンブタジエンオレフィン結晶ブロックコポリマーを主原料としたポリプロピレンのアロイ
【発明の詳細な説明】
【０００１】
【発明の属する技術分野】
本発明は自動車内外装用材料に係わるものであり、詳しくは自動車のダッシュボード、ドアトリムおよびバンパー等の機能向上に関するものである。
【０００２】
【従来の技術】
自動車用内外装材は、ポリプロピレン（以下、ＰＰという）とエチレンプロピレンラバー（以下、ＥＰラバーという）を反応共重合したコポリマー（以下、ＲＴＰＯという）を主原料として、剛性確保の為にタルクを添加し、衝撃強度向上のためにエチレンプロピレンラバー（ＥＰＭ）、エチレンブテンラバー（ＥＢＭ）およびエチレンオクテンラバー（ＥＯＭ）等のゴムを添加したものをコンパウンド工程でアロイ化し、それを射出成形用にペレタイズしたものが知られている。
【０００３】
【発明が解決しようとする課題】
主原料であるＰＰとＥＰラバーを重合したコポリマーは、ＥＰラバー量を増加させ、ＲＴＰＯ化すると、分散したＥＰラバーのサイズが大きくなり、十分な衝撃力を得ること出来なくなる問題点があった。
【０００４】
本発明は、従来の技術に有するこのような問題点を鑑みてなされたものであり、その目的とするところは、素材衝撃強度を向上させることである。
【０００６】
【課題を解決するための手段】
上記目的を達成させるために、本考案で添加した６０％以上のブタジエン濃度が６０％以上のスチレンエチレンブタジエンスチレンブロックコポリマー（以下、ＳＥＢＳという）またはスチレンエチレンブタジエンオレフィン結晶ブロックコポリマー（以下、ＳＥＢＣという）はＰＰコポリマー内のＰＰとＥＰラバー双方に対して相溶性があるため、分散しているＥＰラバーを更に微分散化させ、素材の衝撃強度を向上させる働きをする。
【０００７】
【発明実施の形態】
考案の実施の形態について図面を参照して説明する。
図１はアロイのモロフォロジーをベースにしたＰＰすなわちポリプロピレン、ＳＥＢＳおよびＥＰラバーの構造図である。
【０００８】
ＳＥＢＣの場合はポリスチレンの一方のドメインがオレフィン結晶のドメインに置き換わるだけで、基本的な働きは同様である。
【０００９】
ＰＰ１マトリックスの海の中にＥＰラバードメイン２がＳＥＢＳ相溶化作用のため、微分散化され、浮かんでいる状態にある。その際ＳＥＢＳはポリスチレンドメイン３をＥＰラバードメイン２の周囲に形成し、そのＥＢチェイン５がＥＰラバードメイン２に食い込む一方、ＰＰアモルファスチェイン４ともからみ合っている状態にある。
【００１０】
ＳＥＢＳはＰＰ１とＥＰラバードメイン２の中間で両者を強く結び付ける作用を行っている。衝撃が加わった場合でも、中間弾性材として作用し材料に亀裂を入れにくくする。
【００１１】
ＥＰラバーはそれ自体衝撃性に優れた素材であることは一般に知られており、また、ＥＰラバーをＰＰに加え、その特性によりＰＰの衝撃性を向上させることも一般に知られている。
【００１２】
ＥＰラバーはＳＥＢＳまたはＳＥＢＣで微分散化されてＥＰラバードメイン２になっても分子構造そのものは変化しないため、その特性は維持される。したがって、微分散化したＥＰラバーのＰＰに対する総接触面積が向上し、更にＳＥＢＳまたはＳＥＢＣにより結合力が向上した分だけ、衝撃性は改善されることになる。
【００１３】
図２の示す通り、ブタジエン濃度が６０％を超えると素材の衝撃値（Ｉｚｏｄ衝撃値）が飛躍的に向上することが分かる。
【００１４】
【発明の効果】
本考案は、上述のとおり構成され機能しているので、次に記載する効果を奏する。
【００１５】
従来と同等の剛性を持つ内外装用素材であるが、十分な耐衝撃強度を有する。
【００１６】
従来材と同様に射出成形により自動車のダッシュボード、ドアトリムおよびバンパーを成形できる。
【図面の簡単な説明】
【図１】ＰＰ、ＥＰラバー、ＳＥＢＳアロイの構造図
【符号の説明】
１  ＰＰ
２  ＥＰラバードメイン
３  ポリスチレンドメイン
４  ＰＰアモルファスチェイン
５  ＥＢチェイン
【図２】
ブタジエン濃度とＩＺＯＤ衝撃強度のグラフ
【符号の説明】
１  ブタジエン濃度
２  ＩＺＯＤ衝撃強度（２３℃）Ｋｇ．ｃｍ／ｃｍ
３  材料の構成  ＲＴＰＯ／ＳＥＢＳ／タルク＝７０／１０／２０
【図１】
2004204198.tif 000003
【図２】
2004204198.tif 000004
(57)【要約】【課題】従来は木造家屋の部屋の天井板には木造の天井板が架設されていた。したがって地震で家屋が倒壊すれば天井板も倒壊していた。それを架設してある金属天井結束板（４）が木造家屋倒壊のとき屋根荷重の重力により半回転して垂直の壁状態になる天井板を提供する。【解決手段】木造の部屋（１）と鉄骨の部屋（２）を隣接するようにして鉄骨の部屋（２）の上部の木造の部屋（１）側に半回転するように蝶つがい（５）で金属天井板結束板（４）の一端を取り付け一端を木造の部屋（１）の木造天井板受（６）に木造天井板（７）と併合架設することを特徴とする。【選択図】  図３
2004204658.tif 000002
【特許請求の範囲】
【請求項１】
（イ）木造一戸建住宅の内部に鉄骨建物を構築し鉄骨建物の部屋（２）と木造建物の部屋（１）が隣接するように設計する。
（ロ）鉄骨の部屋（２）の上部の木造の部屋（１）側に金属天井板結束板受（８）を取り付け金属天井板（９）金属天井板（１０）を重ねて金属天井板結束板（４）で結束し一端に回転するように蝶つがい（５）で金属天井板結束板受（８）に取り付け一端を木造部屋（１）の木造天井板受（６）に木造天井板（７）と併合架設した金属天井板
以上のごとく構成された半回転する金属天井板
【発明の詳細な説明】
【０００１】
【発明の属する技術分野】
本発明は鉄骨建物の部屋から木造建物の部屋に架設する吊天井板に関すものである。また本発明は木造家屋が倒壊したのを前堤にしているので金属天井板が半回転するように金属天井板結束板の一端に蝶つがいを取りつけた形になっている
【０００２】
【従来の技術】
従来木造住宅の部屋の天井板材には木製の天井板が架設されていた
【０００３】
【発明が解決しようとする課題】
木造住宅は建築年数が古くなると地震で倒壊するのが多かった。倒壊すれば火災発生するのも多かった。
【０００４】
【課題を解決するための手段】
木造建物内に耐用年数のことなる鉄骨建物を構築し鉄骨の部屋（２）と木造の部屋（１）が隣接するようにして鉄骨の部屋（２）の上部の木造の部屋（１）側に金属天井板結束板受（８）を取りつけ金属天井板結束板（４）の一端に半回転するように蝶つがい（５）を取りつけ金属天井板結束板受（８）に固定取りつけ一端を木造の部屋（１）の木造天井板受（６）に木造天井板（７）と併合架設する。架設した金属天井板結束板（４）の上に金属天井板（１０）と金属天井板（９）を重ねて結束ネジ（１４）で結束し落下止め蝶ネジ（１３）で金属天井板（１０）を金属天井板（９）から締めておき下の金属天井板結束板（４）から落下止め蝶ネジ（１３′）で金属天井板（１０）を締めておく。金属天井板（９）と金属天井板結束板（４）の寸法であるが長さは鉄骨部屋（２）の天井板（１１）から床（１２）までの高さの６０パーセント、つまり高さ２．４メートルの場合は１．４４メートル金属天井板（１０）の長さは５０パーセント１．２０メートルとする。巾の寸法は金属天井板結束板（４）金属天井板（１０）金属天井板（９）の３板とも同じ１．８メートルとする。本発明は以上のような構成よりなる半回転する金属天井板である。
【０００５】
【発明の実施の形態】
以下本発明の実施の形態について説明する
地震で木造家屋が倒壊するとき木造天井板（７）から上の屋根葺材などの落下する荷重力で木造天井板（７）も金属天井板結束板（４）も落下しながら蝶つがい（５）で固定してある金属天井板結束板（４）が半回転して垂直の壁状態になり火災発生すれば金属天井板結束板（４）に取りつけた落下止め蝶ネジ（１３′）をゆるめて金属天井板（１０）を床（１２）まで落下させ脱出口（１５）から屋外へ避難する。既設の木造家屋内に本発明の工事を施工する場合は鉄骨構造より鉄筋コンクリート構造が工事は安易であった。木造建物の小屋組である柱梁、母屋、床組である床根太、大引栂、などの骨組には抵触せず床板、天井板を撤去して軒桁から内側に鉄筋コンクリート部屋を構築する。
既設の木造家屋内に複数の木造部屋（１）がある家に本発明の工事を施工する場合には脱出口（１５）は各部屋に設ける。半回転させる蝶つがい（５）の替りに金属天井板受（８）に？型ネジを取り付け金属天井板結束板（４）に丸環ネジを取り付け半回転するようにしてもよい。本発明の工事を施工するには新築、増改築にかゝわらず一級建築士の設計が必要である。
【０００６】
【発明の効果】
この発明によれば木造家屋が地震で崩壊するとき人間が部屋（１）の中にいても瓦礫の下敷きにならず脱出口（１５）から屋外へ避難できる。
【図面の簡単な説明】
【図１】木造部屋の平面図である。
【図２】鉄骨部屋の平面図である。
【図３】本発明の鉄骨部屋と木造部屋の平面図である。
【図４】本発明の側面図である。
【図５】本発明の実施例を示す断面図である。
【符号の説明】
１は木造建物の部屋    ２は鉄骨建物の部屋    ３は鉄骨部屋を木造部屋に隣接
４は金属天井板結束板    ５は蝶つがい    ６は木造天井板受
７は木造天井板    ８は金属天井板結束板受    ９は金属天井板
１０は金属天井板    １１は鉄骨部屋天井板    １２は鉄骨部屋床
１３は落下止め蝶ネジ    １３′は落下止蝶ネジ    １４は結束ネジ
１５は脱出口
【図１】
2004204658.tif 000003
【図２】
2004204658.tif 000004
【図３】
2004204658.tif 000005
【図４】
2004204658.tif 000006
【図５】
2004204658.tif 000007
(57)【要約】【目的】誰でも簡単に美しい塀や土留めを作る方法【構成】プラスチックで作ったブロックで、レール状の凸部分（Ａ）と、溝の状態の凹部分（Ｂ）を持っており、つなぐ場合には横で合わせて滑らしてはめていく方法で積み上げていける、カラフルで軽い建材用ブロック。【選択図】図１
2004204655.tif 000002
【特許請求の範囲】
【請求項１】
合成樹脂で作った色彩豊かでカラフルな建材ブロックで、線路、レールのような突起部分（Ａ）とへこみ部分の溝（Ｂ）を有し、凸凹の組み合わせで簡単に施工出来る仕組みにしているブロック。
【発明の詳細な説明】
【０００１】
【産業上の利用分野】
この発明は素人や家庭の主婦にでも施工できるように工夫した工事用建材ブロックに関するものである。
【０００２】
【従来の技術】
今まではどんなに低い塀や土留めなどを作る場合、ブロックを接着するためにはセメントを使い、又、綺麗にするためにはその上からの左官の仕事が在って、素人が出来るようなものではなかった。
【０００３】
【発明が解決しようとする課題】
この発明は、例えどんなに低い塀でも素人には手を出しにくかったブロック塀構築方法の改善で、先にも述べた通りブロック同士の接着にはセメントを要していた。又、重さも半端ではなかった。その上、綺麗に仕上げるのはその上からの壁塗り過程が必要であった。そこで誰でも割合に簡単にカラフルな美しい塀が出来ないものかと考えた。
【０００４】
【課題を解決するための手段】
この発明は、美しい色や模様を表現できる素材である合成樹脂を材料としてブロックを作ります。そのブロックは突起しているレールのような部分（Ａ）と、へこんでいる部分の溝（Ｂ）を有し、組み合わせで、ファスナー形式の凸凹の様な、横ではめ込んで滑らせて簡単にはめて、組み立てていきます。
【０００５】
【作用】
そうすることにより、素人や主婦が、美しい、またはカラフルな塀や土留めがセメントを用意することなく作り上げていけます。
【０００６】
【実施例】
この図では横に滑らせてはめ込んでいくようにしているが、大きさ、或いは形状により真ん中に横長の突起部分と、縦長の穴を開け、差し込んで回転させる固定方式でも出来る。
そして、それに付随する天端ブロック、コーナーブロック、コーナー天端ブロック、並ブロック等を作っていけば、最終の処理、或いは、難しいコーナーなども簡単に製作することが出来る。
これらの方法で、最後の塗り等不要で、組み合わせによっては１枚の絵、または、レンガ調、大理石調に・・・自由自在な塀が出来上がる。
【０００７】
【発明の効果】
この発明は以上のような構成で製作しており、誰にでも簡単に美しく土留めや塀を作れることとなります。また、重さがレンガやセメントブロックのようにはなく、地震の際などの危険度が減少する。
【図面の簡単な説明】
【図１】本発明斜視図
【図２】本発明横正面図
【図３】本発明横正面図
【記号の説明】
（Ａ）    ブロックのレール状凸部分
（Ｂ）    ブロックの凹み溝部分
【図１】
2004204655.tif 000003
【図２】
2004204655.tif 000004
【図３】
2004204655.tif 000005
(57)【要約】【課題】混合ビル、工場排水、宅内排水等の処理を的確に速やかに下水道本管に流し込むためのメイン管（直管）としての役割及び下水道管の機能を十分に効果を発揮できるものにする。【解決の手段】円形直管の内部に二重構造した防波堤を構築して、下水排水の全般を一極に集中させ、下水道本管への流入を的確に処理する構造にしました。これは、下水道トォータルシステムの一部として欠かせない要因です。【選択図】  図１
2004204656.tif 000002
【特許請求の範囲】
【請求項１】
本来の下水道管の役割及び特徴を明確にするために、管内部に防波堤（Ａ  ＢＲＥＡＫＷＡＴＥＲ）的なものを二段階にし汚物、汚水、雑排水、油等を集中して下水本管への流入を容易にした構造です。
【発明の詳細な説明】
【０００１】
【発明の属する技術分野】
本発明は、現在使用されている下水道管は上水道管と同一形状をしており、下水道管としての機能、役割をはたしていない。今回の提案は、下水道のトォータルシステムの一部として考慮した場合、上水道管は、安全に衛生的に且つスピディーに水を搬送することにあり、下水道管は汚物、汚水、雑排水、油等の混合の水処理をしなければなりません。このことから、構造上から若しくは性質上において同一に近いものになっていることは、混合ビル等の排水処理等の現実として職種の違いによって、新しく入居したものが再度配管工事をしなければ使用できない実態が浮き彫りになっています。そのために、排水処理の観点からできるだけ管内に残留物を残さない管でなければなりません。４０Ｍの配管で現在の下水管と、この提案している下水道管と比較すれば、前者の場合は水だけが先行して流れ汚物は残ることになります。しかし、後者の場合は排水の上昇により１回で本管への流入が容易になります。また、凍結しやすい地域にとって凍結しにくく付着率の少ない構造になっています。
【０００２】
【従来の技術】
従来のものは、下水道管としての機能、構造上に問題点を残したまま上水道管との平行した構造であった。このことから、下水道設備は目に見えない部分があり管理が的確でないと、人間の体のなかを走る血管と同じく動脈硬化を起こしたり最悪な場合、心筋梗塞と同様に管内が閉塞して噴出し、詰まり等を生じで使用できないばかりか、再度高額な工事を支払うことが国内で数多く発生しています。これは、管理面だけではなく構造上にも問題があるからです。
【０００３】
【発明の実態の形態】
この発明の趣旨は、現在ある下水道管というより下水道管の形状を分析した場合の結果、使用されている円形管、卵形管とがありますが構造上、下水道管には適さないと考えられるからです。前者は、物を流すという視点から勾配があれば物は流れるというだけものです。その上、残物が出ても次々の排水が押し流してくれると考えています。しかし、排水に含まれる混合物は少量の残留物が管内を徐々に付着して管を詰まらせていく原因になっています。また、後者についてはできるだけ早く下水道本管への流入を考慮された水処理ですが、高度な技術を要して工事（変形、固定）しなければならず、汚物の搬送距離は円形管に比べて長くは幾分かなりますが残留物を残すことになります。ですから、下水道管の定義は、排水物を宅内及び各種ビル、工場排水を速やかに下水道本管に流入させることであり、残留物、付着率等を最小限度に抑え運搬をスムーズにする内容でなければならません。さらに、便器からの夜に流れる排水音等もクリヤーされるものであれば一定の条件として、専用下水道管といえるものになっています。図１の中に防波堤Ａ，Ｂとしているのは、人間の動脈と同じもので専用下水道管としての大きな役割を持っています。先ず、機能上トイレ台所、浴室等から排水をできるだけ早く、水流を集中して下水管に流す構造になっています。では何故二段階構造かといいますと、トイレが節水となり８ｌから６ｌなどと言われている現状、水を少なくすれば環境が解決されるイジィーな発想がありますが、それは便器サイドの話で当然のことながら水が少なければ詰まりが大きくなり、付着率は増大し、排水のトラブル起こしてくださいといっているのと同じで、再度配管工事を国民の負担を強いる結果になっています。この二重構造の考え方は、通常の円形管トイレの水を流す入り口では吹き上げ散乱し一点に集中することになりますが、すでに水の勢いは３０％も減少していることになり、それに伴って汚物、ティシュ等を距離が長くなればなるほど、油等と付着してしまうことになります。今回の取り組みは、下水道トォータルシステムからすればトイレの出口と専用下水道管の受け入れ口を同じ構造にすれば、同じ８ｌの水も効果的に生かされ、図１の防波堤Ａで受け、防波堤Ｂでさらに水を集中させ汚物等の搬送距離を伸ばし付着率、詰まりを防止し、凍結防止及び消音効果も発揮することになります。ですから、安易に水を少なくすればいいということでなく８ｌから１２ｌの間で有効的に活用すべきです。台所、浴室及びガーデン等の水が節水に気おつけて使用されていない現状では、人間の体をいかに健康体に保つかと同じことで、下水管の保全をトォータル的にベストになっている構造になっているかに焦点をおいています。
【０００４】
【発明の効果】
現在までに、下水道管の定義として排水される入り口、受け入れられる終末処理場、そして、河川放流までの設備に関して一連化したものが適正なものと呼ばれるものであったでしょうか。トイレ部門、排水部門、阻集器部門が独立して管に流入すればという発想であり、終末処理場までの負荷率増加に関してなどは考慮されておらず、独自の発想で商品開発がなされてきましたが相対的な構造、機能等を持つものでなければ、使用できない状況にあることを認識する必要性があります。引いては地域環境保全につながり、今回各部門では構造、機能面をクリヤーしたもの特許申請しています。下水道の設備の、汚物処理一般について速やかに下水本管に流入させ、搬送距離を長く持たせ、付着率、凍結をより少なく、その他消音、維持管理しやすい構造にしなければなりません。また、汲み取りから水洗化された時代と異なり、下水道のトォータル的な思考にこれから先に取り組めば、種々の問題が解決されます。
【図１】
2004204656.tif 000003
【手続補正書】
【提出日】平成15年4月4日(2003.4.4)
【手続補正２】
【補正対象書類名】明細書
【補正対象項目名】図面の簡単な説明
【補正方法】変更
【補正の内容】
【図面の簡単な説明】
【図１】図１は、本考案に係るトイレの斜視図、断面図です。
2004204656.tif 000004
(57)【要約】【課題】地下外壁二重壁を短期間で低コストで、かつ表面の仕上がりがきれいな施工法を提供する。【解決手段】地下外壁の二重壁の施工に於いて、（１）山留めに面する外壁の鉄筋を組み立て、（２）その前面に型枠代わりと仕上げを兼用した排水用溝形板付コンクリート版を建て込み、（３）セパレーターにてコンクリート版を山留めに固定し、（４）コンクリート版建て込み完了後その室内側面にフォームタと水平角パイプにて分割されたコンクリート版を一体化して、（５）コンクリートを前記鉄筋部に打設して構築するコンクリート版を用いた地下外壁の二重壁工法。【選択図】  図１
2004204657.tif 000002
【特許請求の範囲】
【請求項１】
地下外壁の二重壁の施工に於いて、（１）山留めに面する外壁の鉄筋を組み立て、（２）その前面に、型枠代わりと仕上げを兼用した排水用溝形板付コンクリート版を建て込み、（３）セパレーターにてコンクリート版を山留めに固定し、（４）コンクリート版建て込み完了後その室内側面にフォームタイと水平角パイプにて分割されたコンクリート版を一体化して、（５）コンクリートを前記鉄筋部に打設して構築するコンクリート版を用いた地下外壁の二重壁工法。
【発明の詳細な説明】
【０００１】
【発明の属する技術分野】
本発明は鉄筋コンクリート構造の地下外壁の二重壁工法に関する。
【０００２】
【従来技術】
従来の施工法としては、山留め面の外壁を先に構築し型枠解体後室内側にコンクリートブロックを積み上げて室内側の二重壁を構築していたが、階高が大きいので安全性、工期、コストに欠点があった。
【０００３】
従来技術として、特開７−１５８０８６（発明の名称：地下外壁二重壁の施工法）があり、この工法は室内側の壁をモルタル吹付のように強度発現を待ってコンクリートを打設するもので、養生期間を要する為に工期が長くなっていた。又、その構成がスチレン発泡体、捨型枠板、格子鉄筋、内側壁の吹付けモルタルと４工程を要するため煩雑であり内側壁の構築に非常に手間が掛ってしまう。さらに地下室の外壁面は面積が大きいためモルタル金鏝仕上げでは平滑に仕上げるには無理があり難しい。
【０００４】
従来技術として、特開平１１−０４３９６３（発明の名称：地下二重壁の構築法と地下二重壁構造）があり、積層パネルをコンクリート打設用の型枠としているがセパレーターを用いていないので階高の大きい場合は耐えられない。（発明の詳細）に高さは１８０ｃｍ〜３ｍとあり大型ビルには不可能である。
【０００５】
【発明が解決しようとする課題】
従来の技術にはそれぞれ欠点がある。本発明はそれらを鑑みて二重壁を短期間で、安価に、表面仕上げは美しく仕上げる工法を提供する。
【０００６】
【課題を解決するための手段】
地下外壁の二重壁の施工に於いて、（１）山留めに面する外壁の鉄筋を組み立て、（２）その前面に型枠代わりと仕上げを兼用した排水用溝形板付コンクリート版を建て込み、（３）セパレーターにてコンクリート版を山留めに固定し、（４）コンクリート版建て込み完了後その室内側面にフォームタイと水平角パイプにて分割されたコンクリート版を一体化して、（５）コンクリートを前記鉄筋部に打設して構築するコンクリート版を用いた地下外壁の二重壁工法。
【０００７】
【発明実施の形態】
地下外壁の二重壁の施工手順として、（１）山留め面にコンクリート版のセパレーターの位置と同一ヶ所にセパレーター受け金具を取り付ける。（２）山留め面前の外壁鉄筋を組み立てる。（３）排水溝とコンクリート版下端受け面を防水モルタルで仕上げる。（４）工場で製作したコンクリート版を搬入し吊り込む前に排水用溝形板や弾性パッキング材、等を操着しクレーンで所定の位置にセットする。（５）コンクリート版の垂直固定はセパレーターを用い、先の山留め面セパレーター受け金具とコンクリート版裏側の袋ナットにて固定する。このセパレーターはコンクリート打設時の圧力に耐える強度とする。（６）４と５を繰り返して一ツの面を仕上げたらコンクリート版の表面側にフォームタイと水平角パイプにて各コンクリート版を一体化する。（７）柱部の型枠を建て込む。（８）コンクリートを前記鉄筋部に打設する。（９）フォームタイと水平角パイプを解体してフォームタイ跡を補修し、タテジョイント部をシーリング剤にて充填して完了する。
【０００８】
コンクリート版は強度のあるプレキャストコンクリート版とするのが好ましい。建て込み順序としては、割り付けユツトの中央版を先にセットしその版には左右２ヶ所のセパレーターを付け、その他の版は片側１ヶ所のセパレーターを付けてゆき一ツのユニットを一体化するためにフォームタイと水平角パイプで補強することによりコンクリート打設時の型枠代わりとなりえる。コンクリート版に埋設する金具類として、表面にフォームタイ用袋ナット、裏面にセパレーター用袋ナット、下端に高さ調整用袋ナット、下部の水抜きパイプ、その他吊り込み用袋ナット等がある。
【０００９】
【発明の効果】
二重壁の内壁にコンクリート版を用いる事の利点として、（１）コンクリート版が型枠代わりと仕上材に兼用されるので工期の短縮、及び低コストで構築される。（２）二重壁の隙間空間部となる排水用溝形板をコンクリート版裏面に固定されるのでコンクリートを打設すれば二重壁が同時に仕上がるので工期が大幅に短縮される。
【図面の簡単な説明】
【図１】地下外壁の垂直断面図
【図２】地下外壁の水平断面図
【図３】コンクリート版の下端詳細図
【図４】コンクリート版の表面のフォームタイ、裏面のセパレーター配置図
【符号の説明】
１…コンクリート版  ２…排水用溝形板  ３…セパレーター  ４…フォームタイ５…水平角パイプ  ６…弾性パッキング材  ７…高さ調整ボルト  ８…セパレーター受け金具  ９…外壁コンクリート  １０…排水溝  １１…外鉄筋  １２…水抜きパイプ  １３…排水パイプ  １４…山留め
【図１】
2004204657.tif 000003
【図２】
2004204657.tif 000004
【図３】
2004204657.tif 000005
【図４】
2004204657.tif 000006
(57)【要約】【課題】  機械の信頼性に影響を及ぼすことなく、ガス流路内部の摩擦を部分的に排除する遠心圧縮機を提供する。【解決手段】本発明の遠心圧縮機は、ロータ（１２）と、内部ケース（１４）と、複数のディフューザ（１６）と、複数のダイアフラム（１８）とを具備する種類の、効率を改善した高圧用遠心圧縮機（１０）であって、ガスの流れの通過を受ける面がバニシ仕上げされている。また、面の少なくとも一部が前記内部ケース（１４）に属している。【選択図】図１
2004204848.tif 000002
【特許請求の範囲】
【請求項１】
ロータ（１２）と、内部ケース（１４）と、複数のディフーザ（１６）と、複数のダイアフラム（１８）とを具備する種類の、効率を改善した高圧用遠心圧縮機（１０）において、ガスの流れの通過を受ける面がバニシ仕上げされていることを特徴とする遠心圧縮機（１０）。
【請求項２】
前記面の少なくとも一部が前記内部ケース（１４）に属していることを特徴とする請求項１記載の遠心圧縮機（１０）。
【請求項３】
前記面の少なくとも一部が前記ディフューザ（１６）に属していることを特徴とする請求項１又は２記載の遠心圧縮機（１０）。
【請求項４】
前記面の少なくとも一部が前記ダイアフラム（１８）に属していることを特徴とする請求項１、２又は３記載の遠心圧縮機（１０）。
【発明の詳細な説明】
【技術分野】
【０００１】
本発明は、効率を改善した高圧用遠心圧縮機に関する。
【背景技術】
【０００２】
周知のように、遠心圧縮機は、１つ以上のインペラを使用することによって、圧縮性流体に圧力を変化させるために必要なエネルギーを加えることにより、流体をそれが受け入れられたときの圧力より高い圧力で戻す機械である。
【０００３】
ロータは半径方向ブレードを含むインペラから構成され、インペラはガスを流通させる流路を形成するように配置されている。
【０００４】
遠心圧縮機では、インペラは、内部ケース、ダイアフラム及びディフーザから構成されるステータの内部で回転する。
【０００５】
圧縮機、特に高圧用圧縮機の技術分野においては、吸収されるパワーを少なくするように性能を更に向上させるために相当に大きな努力がなされてきた。
【発明の開示】
【発明が解決しようとする課題】
【０００６】
従って、本発明の目的は、効率を改善した高圧用遠心圧縮機を単純な方法により、低コストで、短時間のうちに、機械の信頼性に影響を及ぼすことなく提供するように、ガス流路内部の摩擦を部分的に排除することである。
【課題を解決するための手段】
【０００７】
この効率を改善した遠心圧縮機のその他の特徴は特許請求の範囲に含まれている。
【０００８】
圧縮機の特徴及び利点は、添付の概略図を参照して、限定的な意味を持たない一例として与えられる以下の説明から更に明白になるであろう。
【発明を実施するための最良の形態】
【０００９】
周知の技術に従って、遠心圧縮機はロータ１２と、内部ケース１４と、複数のディフューザ１６と、複数のダイアフラム１８とを具備する。
【００１０】
本発明においては、ガスの通過を受ける面の粗さを少なくし、それにより、その面がガスに加える摩擦を減少させるために、面はバニシ処理される。
【００１１】
特に、内部ケース１４、ディフューザ１６及びダイアフラム１８に属する面がバニシ仕上げされる。
【００１２】
バニシ仕上げは以下に簡単に説明する表面処理である。
【００１３】
粗さという点から見ると、加工された金属面は、実行された加工の質によって違いはあるが、ある程度の際立った凹凸により形成される外観を呈している。
【００１４】
バニシ仕上げは、この面を処理済ローラ（バニシ工具）の圧力の下に低温状態で圧縮することから成る。工具はバニシ仕上げされるべき部品を回転させる。
【００１５】
この加工方法は次のような利点を有する。
【００１６】
− 加工される部品の表面状態が改善される。
【００１７】
− 作業は加工されていない部品に対して実行され、従って、研削などのより煩わしい作業を回避することが可能になるため、経済的である。
【００１８】
− 極めて正確である。
【００１９】
− 高い応力レベル、特に相反応力にさらされる部品の疲労に対する耐性が増加する。
【００２０】
− 表面の状態がどのような場合においても改善される。滑らかな光輝面を有する工具によって（形状を変えることなく）より良い仕上げレベルを得ることが可能である。
【００２１】
圧縮機の分野では、バニシ仕上げは軸、特に振動センサにより読み取られる面に対しても使用される。
【００２２】
本発明に従って先に挙げた遠心圧縮機１０の部品に対してバニシ仕上げを実行することにより、ガスの流れにさらされる面で粗さを有効に減少させることができる。
【００２３】
このように粗さを減らすことで、遠心圧縮機１０全体の効率は向上する。
【００２４】
以上の説明は、本発明によって得られる特徴及び利点を明白にする。
【００２５】
特に、目的は、特に単純で経済的であるバニシ仕上げによって、遠心圧縮機１０の効率の明確な向上が得られることを示すことである。
【００２６】
更に、このように設計された、効率を改善した高圧用遠心圧縮機に対して、本発明の範囲内に全て含まれる変形及び変更を実施できることは明白である。
【００２７】
全ての細部は技術的に等価な要素により置き換えることが可能である。
【００２８】
実際、技術的必要条件に従う、どのような種類の材料、形態及び寸法も使用することができる。特許請求の範囲に記載された符号は、理解容易のためであってなんら発明の技術的範囲を実施例に限縮するものではない。
【図面の簡単な説明】
【００２９】
【図１】全体として図中符号１０により示される問題の遠心圧縮機の横断面図。
【符号の説明】
【００３０】
１０…遠心圧縮機、１２…ロータ、１４…内部ケース、１６…ディフューザ、１８…ダイアフラム
【図１】
2004204848.tif 000003
(57)【要約】【課題】地下貯水槽や井戸の掘削工事が不要となり、また、揚水ポンプおよびその動力も不要となってイニシャルコストおよびランニングニングの低い中高層建築物における自家発電システムを提供。【解決手段】トイレ汚水排水枝管３・・３からトイレ汚水排水垂管１に集約されて落下するトイレ汚水の位置エネルギーで駆動する落水発電設備２により発電を行わせる。【効果】本発明システムによれば、ビルやマンション等中高層建築物を実施対象として、地下貯水槽や井戸の掘削工事が不要となり、また、揚水ポンプおよびその動力も不要となってイニシャルコストおよびランニングニングの低い自家発電システムを提供することができる。【選択図】        図１
2004204448.tif 000002
【特許請求の範囲】
【請求項１】
トイレ汚水排水枝管からトイレ汚水排水垂管に集約されて落下するトイレ汚水の位置エネルギーで駆動する落水発電設備により発電を行わせることを特徴とする、中高層建築物における自家発電システム。
【発明の詳細な説明】
【０００１】
【発明の技術分野】
本発明は、ビルやマンション等中高層建築物において補助給電的に行われる自家発電システムに関するものである。
【０００２】
【従来の技術】
流水の力で発電タービンを駆動させて電力を得ることは、水力発電方式として周知の技術である。そして近時、建築物の地下に設けれられた地下貯水槽内へ河川からの水を流下させることで発電装置を駆動して補助給電的な発電を行い、地下貯水槽内に溜まった水は揚水ポンプにより河川へ還流させるという自家発電のシステムが提案されている（特許文献１参照）。また、地下水をポンプで汲み上げてその熱源を冷暖房設備に利用したのち排水管を経由して使用済みの水を地下水脈へ還元し、その還元過程で水力タービンを駆動して補助給電的な発電を行わせるというシステムも提案されている（特許文献２参照）。
【０００３】
【特許文献１】
特開平１１−２２２８３６号公報  （図１）
【特許文献２】
特開２００２−１４６８５２号公報  （１図）
【０００４】
【発明が解決しょうとする課題】
特許文献１のシステムは、建築物の近くに河川が存在していなければならないという立地上の制約があり、また、地下貯水槽や河川への通路を設けるという大掛りな工事が必要となり、更に、揚水ポンプおよびその動力が必要となって、イニシャルコストおよびランニングニングが嵩むという欠点がある。特許文献２のシステムは、特許文献１のシステムほど大掛りな工事は必要でないが、地下水脈まで達する井戸の掘削工事が必要となり、また、地下水を汲み上げるためのポンプおよびその動力が必要で、イニシャルコストおよびランニングニングが嵩むという欠点がある。
【０００５】
本発明の目的は上述の課題を解決して、イニシャルコストおよびランニングニングの低い、中高層建築物における自家発電システムを提供することにある。
【０００６】
【問題を解決するための手段】
本発明に係る中高層建築物における自家発電システムでは、トイレ汚水排水枝管からトイレ汚水排水垂管に集約されて落下するトイレ汚水の位置エネルギーで駆動する落水発電設備により発電を行わせる。
【０００７】
【実施例】
以下実施例の図１により説明をする。
【０００８】
１はトイレ汚水排水垂管であって、中高層建築物の上層階から各階を経由し下方部で落水発電設備２を介して浄化槽へ通じるよう垂設される。３・・３はトイレ汚水排水枝管であって、中高層建築物の各階に横設され各便器４・・４と導通して前記トイレ汚水排水垂管１に集約されている。５は前記落水発電設備２による電力を受電するための屋内配電設備であり、給電配線Ｌ１と屋内への配電配線Ｌ２との間に介装されるが、該屋内配電設備５には充電設備６が組合されていることが望ましく、また、屋内配電設備にかえて、電気機器設備（図示せず）に直接電力を受電させてもよい。前記落水発電設備２はトイレ汚水排水垂管１内を落下するトイレ汚水の位置エネルギーを受けて、例えば固形物の通過性に優れた汚水ポンプを水車として回転駆動するにより発電する。
【０００９】
【作用】
便器４・・４から流されたトイレ汚水は、トイレ汚水排水枝管３・・３を介してトイレ汚水排水垂管１に集約され浄化槽内へ送られるが、トイレ汚水排水垂管１の下方部には落水発電設備２を介装されているため、トイレ汚水排水垂管１内を落下するトイレ汚水の位置エネルギーを受けて発電し、屋内配電設備５に受電されて中高層建築物で消費用に給電され、余剰の電力は充電設備６にチャージされる。
【００１０】
【発明の効果】
本発明システムによれば、ビルやマンション等中高層建築物を実施対象として、地下貯水槽や井戸の掘削工事が不要となり、また、揚水ポンプおよびその動力も不要となってイニシャルコストおよびランニングニングの低い自家発電システムを提供することができる。
【図面の簡単な説明】
【図１】本発明発電システムの系統図である。
【符号の説明】
１      トイレ汚水排水垂管
２      落水発電設備
３      トイレ汚水排水枝管
５      屋内配電設備
【図１】
2004204448.tif 000003
(57)【要約】【課題】鼻緒のある履物の装用にも対応でき、なおかつ美的にも問題のないストッキング類を提供する。【解決手段】その足指部（トゥ部）を、親指挿入部及びその他の指の挿入部という２箇所の挿入部、あるいはそれぞれ任意の足指の組合わせによる２箇所の挿入部を持つ事を特徴とするストッキング類。【選択図】  図１
2004204414.tif 000002
【特許請求の範囲】
【請求項１】
その足指部を、親指挿入部及びその他の指の挿入部という２箇所の挿入部、あるいはそれぞれ任意の足指の組合わせによる２箇所の挿入部を持つ事を特徴とするストッキング類（パンティストッキングを含む）。
【発明の詳細な説明】
【０００１】
【発明の属する技術分野】
本発明は、その足指部が２本に分かれたストッキング（パンティストッキングを含む）に関するものである。
【０００２】
【従来の技術及び発明が解決しようとする課題】
従来、市販のストッキング類においては、その指先部は通常足指の先端部まで一体の袋状を成して形成されており、足指独自の挿入部は設けられていない。
【０００３】
但し片足５本の指それぞれの挿入部を持つ５本指型靴下類は市販されており、同じく５本指型ストッキングの実施案も見受けられる。
【０００４】
しかし、草履、雪駄等、鼻緒のある履物を装用しようとする場合、指の挿入部の無いストッキング類を着用している場合においては親指と人差し指の間に鼻緒の入るスリットが無いため、その装用は非常に困難であった。
【０００５】
一方５本指型ストッキング類においては上記の様な装用時の問題は起きないものの、美的には非常に問題があり、足指部が露出する様な場面においては特に女性おいて着用に対する抵抗があると見受けられる。
【０００６】
従って上記問題を解決する、鼻緒のある履物の装用にも対応でき、なおかつ美的にも問題のないストッキング類が望まれている。
【０００７】
【課題を解決するための手段】
上記目的を達成するため、請求項１に係る発明の要旨は、その足指部（トゥ部）を、親指挿入部及びその他の指の挿入部という２箇所の挿入部、あるいはそれぞれ任意の足指の組合わせによる２箇所の挿入部を持つ事を特徴とするストッキング類である。
【０００８】
【発明の実施の形態】
以下、本発明の実施の形態を図面に基づいて説明する。図１は２本指型ストッキング類（パンティストッキング）の全体図、２はその足先部分（トゥ部）の拡大図である。
【０００９】
ストッキングはナイロン、ポリウレタン等の合成繊維、あるいは木綿、毛等で編成される。
【００１０】
ストッキングは符号１であるソール部及び符号２であるレッグ部より成り、パンティストッキングにおいては符号３であるパンティ部、ソール部及びレッグ部より成る。このうちレッグ部及びパンティ部については先行技術による市販品と変る所が無いため、説明を略す。
【００１１】
一方、図２に示す通り、本発明に係るストッキングは、そのソール部の足先部分（トゥ部）が、符号１ａ及び１ｂに示される、親指挿入部及びその他の２箇所の挿入部、あるいはそれぞれ任意の足指の組合わせによる２箇所の挿入部を持つ。
【００１２】
着用時においては、足先部分の２箇所の挿入部にそれぞれ想定された足指が挿入され、足先にスリットが形成されて鼻緒の食い込みが可能に成り、又、足先の自由度が増す。
【００１３】
【発明の効果】
本発明の効果を説明すると、草履、雪駄等、鼻緒のある履物の装用においては、トゥ部２箇所の挿入部間のスリットにて鼻緒の食い込みが可能になり、快適かつ美的にも問題のない装用状態が得られる。
【００１４】
又、足先の自由度が増すため、着用時においては足指の挿入部分の無い従来品に比べ、全般的に安定した歩行、移動が可能になる。
【００１５】
【図面の簡単な説明】
【図１】２本指型ストッキングの全体図である。
【図２】は足先部分（トゥ部）の拡大図である。
【符号の説明】
１はヒール部。
１ａはトゥ部の足指挿入部の甲。
１ｂはトゥ部の足指挿入部の乙。
２はレッグ部。
３はパンティ部。
【図１】
2004204414.tif 000003
【図２】
2004204414.tif 000004
(57)【要約】【課題】本願発明は、股上の浅いスカートやズボンといったボトムを着用しても外観上肌やショーツが見えないようにカバーし、脱ぎ着のしやすい衣服感覚で着用する腹巻を提供するものである。【解決手段】薄く柔らかい素材から形成される圧迫感のない着心地のよい布１を使用し、腹部の上部から腰部を覆う本体で、たて方向にファスナー２等の接合部分を設ける。【選択図】図４
2004204415.tif 000002
【特許請求の範囲】
【請求項１】
腹部の上部から腰部を覆う本体で、肌着もしくはシャツなどの衣類に使用されている通気性、吸湿性及び伸縮性を有する素材より形成されており、外観上、腹巻に見えない「見せる下着」として衣服感覚で着用できる腹巻。
【請求項２】
上記本体のたて方向にファスナー、マジックテープ、紐もしくはフッック等を単一又は組み合わせて設けており、容易に脱ぎ着できる使い勝手の良い請求項１に記載の腹巻。
【発明の詳細な説明】
【０００１】
【発明の属する技術分野】
本発明は、腹部の上部から腰部にかけての肌や下着の外観上の露出を防ぐことを目的とした腹巻に関するものである。
【０００２】
【従来の技術】
従来、「見せる下着」として、装飾性のある水着感覚の素材や模様のショーツがあり、股上の浅いスカートやズボンといったボトムを着用しても外観上衣服からはみ出ないように、さらに股上の浅いショーツも販売されている。
【０００３】また、腹巻に関しては、保温性を重視したものが多く、中には薄手で着用時のシルエットを崩さないものがある。
【０００４】
【発明が解決しようとする課題】
昨今、股上の浅いボトムが流行しており、股上の浅いショーツをはいていても、座席時や前傾姿勢時に下着が露出することがあり、上下の衣服の選択によっては、普段の姿勢でも腹部の肌が露出しているケースが多い。また、ショーツ自体が股上が浅くずり落ちることが多いので、不快感があるという欠点があった。
【０００５】また薄手の腹巻を着用しても、特に夏季においては保温性を嫌がって着用する人がおらず、さらにかぶりものが主流である為、衣服を着た状態で腹巻のみ脱ぎ着することは面倒であった。
【０００６】
【課題を解決するための手段】
本願発明は、上記の問題を解決することを課題として考案されたもので、請求項１記載の発明は、腹巻の一部が外観上露出しても支障のない衣服感覚で着用できる腹巻を提供することを目的とするものである。
【０００７】また、請求項２に記載の発明は、衣服を着たままでも容易かつ速やかに脱ぎ着できる腹巻を提供することを目的とするものである。
【０００８】上記の問題を解決し、その目的を達成する手段として、本願発明では、オールシーズン着用できるように、肌着もしくはシャツ等の衣類に使用される薄く柔らかい素材から形成される圧迫感のない着心地の良い腹巻を提供している。
【０００９】また、本願発明は、上記本体のたて方向に接合部を設けた腹巻を提供している。
【００１０】
【発明の実施の形態】以下、図面に基づき本願発明の実施の形態を説明する。図１は本願発明に係る腹巻を着用した状態の正面図であり、図２は本願発明に係る腹巻を着用した状態の横からみた正面図であり、図３は本願発明に係る腹巻の接合部の断面図であり、図４は本願発明に係る腹巻の接合部を外した状態の斜視図である。
【００１１】この図１に示す腹巻は、腹部の上部から腰部にかけて覆われるように布１から構成されており、図４の布１ａの端部がほつれないように糸３ａによって縫製されている。
【００１２】布１は、綿糸など通気性や吸湿性の高い清涼感のある主材料として構成されている。特に、この実施の形態では、ポリウレタンを芯糸としているので、糸の伸縮性とさらにメリヤス編などの編組織の性質によって、極めて伸縮性の高いものとなっている。
【００１３】以上の様に、布１は伸縮性が高いため、図１、２の様に体にピッタリと着用することができ、布１においては汗や水蒸気を吸収して外部に発散することができるので、衣服と重ね着をしても着用感を良好になすことができる。
【００１４】衣服感覚で着用できるように、布１を薄手の無地、ラメ入りもしくは、柄模様などを使用する。
【００１５】図４は、本願発明に係る腹巻の接合部を外した状態の斜視図であり、布１の両端部にファスナー２の他、マジックテープ、フックもしくは紐などを図３のように糸３ｂで逢着することにより、衣服を着たまま、本願発明の腹巻のみ容易に脱ぎ着できる構成になっている。
【００１６】
【発明の効果】
このように請求項１に記載の本願発明は、腹部の上部から腰部まで覆うように形成しており、下着や肌を外観上隠すことができるので、実用性に優れたものである。
【００１７】また、請求項２に記載の本願発明は、請求項１に記載の本体のたて方向にファスナー、マジックテープ、紐もしくはフック等を逢着しているので、他人に腹巻を着用していることを知られたくない時に、衣服を着たまま容易に取り外すことができる。
【図面の簡単な説明】
【図１】本願発明に係る腹巻を着用した状態の正面図である。
【図２】本願発明に係る腹巻を着用した状態の横からみた正面図である。
【図３】本願発明に係る腹巻の接合部の断面図である。
【図４】本願発明に係る腹巻の接合部を外した状態の斜視図である。
【記号の説明】
１布
２ファスナー
３糸
４ショーツ
【図１】
2004204415.tif 000003
【図２】
2004204415.tif 000004
【図３】
2004204415.tif 000005
【図４】
2004204415.tif 000006